(57)【特許請求の範囲】
【請求項１】
少なくとも強電用及び伝送用の各接続端子と設定操作部とが設けられた端子ブロックを有する電力量計において、前記端子ブロックの前面を覆う端子カバーを設け、その端子カバーに、前記設定操作部が露出する一段低くした嵌合凹部を有する開口部を設ける一方、前記開口部は、一方の封印ねじを支点として自重で垂れ下がる開閉可能な開閉蓋によって、前記一方の封印ねじにより前記一段低くした嵌合凹部にセットされ閉塞されていることを特徴とする電力量計。
【発明の詳細な説明】
【０００１】
【発明の属する技術分野】
この発明は、例えば、使用電力量を積算して表示する電力量計に関する。
【０００２】
【従来の技術】
一般に電力量計は、使用電力量を積算して表示する表示窓部を備えた電力量計本体の下方に、強電用及び伝送用の各接続端子と設定操作部とが設けられた端子ブロックを有し、その端子ブロックの全面は封印ねじによって固定支持された端子カバーによって覆われた構造となっている。
【０００３】
【発明が解決しようとする課題】
端子ブロックに設けられた設定操作部は、例えば、表示窓部の画面表示の切換や料金設定計量処理等を行なうもので、その設定操作部を操作するには、端子カバーを取外し、全面を露出させた状態で行なうため、場合によっては強電用の接続端子に触れる恐れがあり、安全性の面で問題があること。また、取外された端子カバーは一単邪魔にならない場所に置かれ、手元から離れた後、操作終了後は再び端子カバーを取り上げ、取付ける手順となるため作業性の面でも望ましくなかった。
【０００４】
そこで、この発明は、安全性、作業性の面で優れる電力量計を提供することを目的としている。
【０００５】
【課題を解決するための手段】
前記目的を達成するために、この発明の請求項１によれば、少なくとも強電用及び伝送用の各接続端子と設定操作部とが設けられた端子ブロックを有する電力量計において、前記端子ブロックの前面を覆う端子カバーを設け、その端子カバーに、前記設定操作部が露出する一段低くした嵌合凹部を有する開口部を設ける一方、前記開口部は、一方の封印ねじを支点として自重で垂れ下がる開閉可能な開閉蓋によって、前記一方の封印ねじにより前記一段低くした嵌合凹部にセットされ閉塞されていることを特徴とする。
【０００６】
これにより、電力量計の設置完了後、開閉蓋を嵌合凹部によって一方の封印ねじにより確実に固定支持することができると共に封印ねじを支点として自重で垂れ下がり開口部を開口状態にできるため、その開口部を介して設定操作部の操作が行なえる。この操作時において、端子カバーを取外さなくても済むと共に、強電用の接続端子に触れる恐れもない。
【０００８】
また、電力量計が外に設置された場合でも、開閉蓋によって設定操作部は雨・風にさらされることがなくなる。
【００１２】
これにより、封印部材によって、開閉蓋の封印状態が確保され、外から簡単にいたずらされることがなくなる。
【００１５】
【発明の実施の形態】
以下、図１乃至図３の図面を参照しながらこの発明の第１の実施形態について具体的に説明する。
【００１６】
図１は電力量計１の正面図を示している。電力量計１は、電力量計本体３の下部に端子ブロック５が設けられた構造となっていて、電力量計本体３の表面は、例えば、使用電力量等を積算して表示する表示窓部７となっている。
【００１７】
端子ブロック５は、強電用の接続端子９と伝送用の接続端子１１と設定操作部１３とを有し、強電用の接続端子９には送電線からの電線等が接続され、高い電圧と電流が流れるようになっている。伝送用の接続端子１１には例えば、図示していないが電力量を自動検針する自動検針装置が接続されるようになっている。設定操作部１３は、前記した表示窓部７の画面表示切換や料金設定計量処理等を行なうことが可能となっている。
【００１８】
一方、端子ブロック５の全面は端子カバー１５によって覆われている。
【００１９】
端子カバー１５は、前記設定操作部１３が露出する開口部１７が設けられ、両サイドに設けられた取付孔１９から封印ねじ２１を挿入し、前記端子ブロック５に設けられた左右のねじ孔２３にそれぞれ螺合させることで固定支持状態が確保されている。
【００２０】
封印ねじ２１は、弛めることで端子カバー１５の取外しが可能となるが、封印ねじ２１に設けられたねじ孔２５と端子カバー１５に設けられた突起部２７の突起孔２９とにかけ通された封印部材３１によって封印され、封印を解除しない限り封印ねじ２１を弛めることができないようになっている。
【００２１】
このように構成された電力量計１によれば、開口部１７を介して設定操作部１３の操作が行なえるようになる。この操作時において、端子カバー１５を取外さなくても済むため、作業性の向上が図れると共に、誤って強電用の接続端子９に触れることはなく、安全が確保される。
【００２２】
図４と図５は端子カバー１５の第２の実施形態を示したものである。
【００２３】
即ち、端子ブロック５の前面を覆う端子カバー１５に開口部１７を有することは第１の実施形態と同じであるが、その開口部１７に、上下のガイドレール３３に沿ってスライド可能なスライドタイプの開閉蓋３５を設け、その開閉蓋３５に操作突起部３７を設けるようにしたものである。
【００２４】
なお、図面上形状がわかるようにガイドレール３３及び操作突起部３７を斜視図で示している。
【００２５】
操作突起部３７には、封印孔３９が設けられ、開閉蓋３５の全閉時に、その封印孔３９と封印ねじ２１のねじ孔２５とにかけ通された封印部材３１によって開閉蓋３５は封印され、封印を解除しない限り開けることができないようになっている。
【００２６】
この場合、操作突起部３７はアーチ状の形状に特定されない。例えば、図６（ａ）に示すようにプレート状の操作突起部３７としたり、図６（ｂ）に示すようにつまみ状の操作突起部３７とする等適宜設計してよい。
【００２７】
なお、他の構成要素は第１の実施形態と同一のため、同一符号を付して詳細な説明を省略する。
【００２８】
したがって、この第２の実施形態によれば、封印解除時において、操作突起部３７により開閉蓋３５の開閉操作が容易に行えるようになる。
【００２９】
また、図５に示すように開閉蓋３５の全閉時に封印部材３１によって封印することで、外からいたずらされることがなくなると共に、電力量計１を外に設置した場合でも雨・風にさらされることがなくなる。
【００３０】
なお、開閉蓋３５はこの実施形態ではスライドタイプとなっているがこれに特定されない。例えば、図７，図８に示すように、ヒンジ４１を支点として開閉蓋３５が開閉できるヒンジタイプとしてもよい。
【００３１】
あるいは、図９から図１１に示すように、開閉蓋３５の一方をコ字状の係合凹部４３内に挿入し、他方を封印ねじ２１を弛めることで長孔４５の範囲内において左右に移動可能で、かつ、自重によって下方へ回動できるよう支持することで、全閉状態（図１０）と全開状態（図９）が得られるかんぬきタイプとしてもよい。
【００３２】
あるいは、図１２と図１３に示すように、開口部１７の周囲に、開閉蓋３５がセットされる一段低くした嵌合凹部４７を設ける一方、その開閉蓋３５の一端を封印ねじを弛めることで、全閉状態（図１３）から全開状態（図１２）とに自重によって垂れ下がる回動可能な回動支持タイプとする等適宜設計してよい。
【００３３】
図１４は端子カバー１５の第３の実施形態を示したものである。
【００３４】
即ち、端子カバー１５の両サイドに上下に長い長孔４９を設け、その長孔４９に封印ねじ２１を挿入し端子ブロック５の各ねじ孔２３に螺合させることで固定支持するようになっている。
【００３５】
長孔４９は、封印ねじ２１を弛めることで、端子ブロック５の全面を覆う状態の端子カバー１５が自重で下降した時、強電用及び伝送用の各接続端子９，１１がカバーされる一方、設定操作部１３が露出する寸法に設定されている。
【００３６】
なお、他の構成要素は第１の実施形態と同一のため同一符号を付して詳細な説明を省略する。
【００３７】
したがって、この第３の実施形態によれば、封印を解除した後、封印ねじ２１を弛めることで端子カバー１５は自重により２点鎖線から実線位置へ下降し、設定操作部１３は露出状態となるため、設定操作部１３の操作が容易に行えるようになる。
【００３８】
この操作時において、端子カバー１５を取外さなくて済むため作業性の向上が図れるようになると共に、強電用の接続端子９に触れることなく安全が確保される。
【００３９】
なお、この実施形態の端子カバー１５は全閉位置から下降することで設定操作部１３が露出する手段となっているが、左右方向の移動で、あるいは、左側の封印ねじ２１を支点として時計方向に若干回動する回動で設定操作部１３が露出する手段とする等適宜設計してよい。
【００４０】
【発明の効果】
以上、説明したように請求項１の発明によれば、開閉蓋を嵌合凹部によって一方の封印ねじにより確実に固定支持することができると共に封印ねじを支点として自重で垂れ下がり開口部を開口状態にできるため、その開口部を介して設定操作部の操作が行なうことができる。したがって、端子カバーを取外さなくても済むため作業性の向上を図ることができる。また、強電用の接続端子に触れる恐れがなくなり、安全が確保される。
【図面の簡単な説明】
【図１】この発明にかかる第１の実施形態を示した電力量計を正面から見た概要説明図。
【図２】電力量計の端子ブロックの全面を端子カバーで覆った説明図。
【図３】図２のＡ部の斜視図。
【図４】端子カバーの開口部にスライドタイプの開閉蓋を設けた第２の実施形態を示した全開状態の概要説明図。
【図５】図４の全開状態にある開閉蓋を全閉状態とした封印時の概要説明図。
【図６】図４の端子カバーの操作突起部を、プレート状、あるいは、つまみ状とした変形例を示す要部の概要斜視図。
【図７】端子カバーの開閉蓋をヒンジタイプとした変形例を示す開状態の概要説明図。
【図８】図７の開閉蓋を全閉状態とした封印時の概要説明図。
【図９】端子カバーの開閉蓋をかんぬきタイプとした変形例を示す全開状態の概要説明図。
【図１０】図９の開閉蓋を全閉状態とした封印時の概要説明図。
【図１１】図１０のＢ部の斜視図。
【図１２】端子カバーの開閉蓋を回動支持タイプとした変形例を示す全開状態の概要説明図。
【図１３】図１２の開閉蓋を全閉状態とした封印時の概要説明図。
【図１４】端子カバーの第３の実施形態を示した概要説明図。
【符号の説明】
５  端子ブロック
９  強電用の接続端子
１１  伝送用の接続端子
１３  設定操作部
１５  端子カバー
１７  開口部
【図１】
0004439128.tif 000002
【図２】
0004439128.tif 000003
【図３】
0004439128.tif 000004
【図４】
0004439128.tif 000005
【図５】
0004439128.tif 000006
【図６】
0004439128.tif 000007
【図７】
0004439128.tif 000008
【図８】
0004439128.tif 000009
【図９】
0004439128.tif 000010
【図１０】
0004439128.tif 000011
【図１１】
0004439128.tif 000012
【図１２】
0004439128.tif 000013
【図１３】
0004439128.tif 000014
【図１４】
0004439128.tif 000015